(57)【要約】【課題】飲料容器開口に嵌合して飲料第二成分を添加する容器の蓋体構造。【解決手段】該蓋体は、本体及び仕切板からなり、該本体の頂部面を封鎖端１１で閉鎖し、底部を引用容器３０開口に嵌合する開口端１５を具えて容器の出口端３１を挿通して嵌合する。  該本体中間に係合停止フランジ１６を設けて仕切板２０側縁の嵌合凹溝２４に嵌合し、本体内に中空室１４を形成して該中空室内に第二の飲料成分を収容する。該本体の仕切板下方は、容器出口端を挿通して固定密封する蓋挿通孔１５であって、引用容器を該蓋体により密封するとともに、該蓋体を下方に押し込むことにより、該蓋体の仕切板を係合停止フランジの係合状態から外して、中空室内に収容された第二引用成分を容器内の飲料に添加混合させ、混合飲料とする。【選択図】  図１
2008529919.tif 000002
【特許請求の範囲】
【請求項１】
容器出口の蓋体であって、本体及び仕切板からなり、
該本体の頂部面を封鎖端で閉鎖し、底部を引用容器開口に嵌合する開口端
として、その間を顆粒の粉状固体物質或いは液体物質を充填する中空室及びその下方の容器出口端に嵌合する蓋挿通孔として、
その間を該仕切板により区画して該中空室内に上記固体・液体物質を貯留可能としたことを特徴とする、飲用容器の蓋体。
【請求項２】
前記本体の中空室と蓋挿通孔の間の内周壁面には係合停止フランジ部を突出形成すると共に、該仕切板の側端面上には嵌合凹溝を形成して相互に係合することにより、上記中空室を密封したことを特徴とする請求項１記載の飲用容器の蓋体。
【請求項３】
前記本体底部面の蓋挿通孔の内周壁面にはマイナスネジヤマを形成して、プラスネジヤマを具える出口端の容器と相互に螺接結合することを特徴とする請求項１記載の飲用容器の蓋体。
【請求項４】
前記仕切板の外径は、該本体の中空室の内径よりわずかに小さく、且つその側端面と該本体内周壁間を複数の橋渡しブロックにより連結したことを特徴とする請求項１記載の飲用容器の蓋体。
【請求項５】
前記本体の側端面を多辺形として、手指による握持及び施力上の利便性を向上したことを特徴とする請求項１記載の飲用容器の蓋体。
【請求項６】
前記本体底部面下方にはさらに断裂部を具えるセーフティーリングを接続したことを特徴とする請求項１記載の飲用容器の蓋体。
【発明の詳細な説明】
【技術分野】
【０００１】
本発明は、容器出口の蓋体構造に関する。特に、飲料容器出口に嵌合可能な蓋体構造で、これにより飲用者は二種の異なる液体飲料を迅速に直接混合して飲用することが可能な容器出口の蓋体構造に係る。
【背景技術】
【０００２】
現在、公知の各種液体飲料容器は単一種の液体飲料を収容することしかできない。よって、もし消費者が個人の好みにより、異なる味を飲用しようとする時には、通常は二種の異なる味の液体飲料を、例えば炭酸飲料とアルコール成分を具える飲料を相互に混合し、或いは果汁類飲料と炭酸飲料を相互に混合する等して、その後に飲用することになる。
上記の混合方式では通常は第一種の主要飲料瓶中の飲料を先ずカップ中に注ぎ出し、次に第二種の副次飲料瓶中の飲料を該カップ中に適宜注いで相互に混合して後、飲用する方式を採る。しかし、このような方法では一杯飲み終わる毎に、上記の操作を繰り返さなければならず、非常に不便である。
よって本発明者は、消費者のそれぞれ異なる飲用習慣及び嗜好に応えるため、このような各種の異なる単一味の液体飲料を相互に混合しなければならない飲用方式に由来する操作上の不便に鑑み、下記の構造を開発した。それは二種の異なる味の液体飲料を容器及びその瓶蓋体中に分けて充填し、瓶蓋体を回す時に該容器及び該瓶蓋体中に介在する仕切板が移動し、これにより瓶蓋体内の第二液体飲料が容器中に流入し、該容器中の第一液体飲料と直ちに相互に混合し、消費者が直接飲用可能とする構造である。これらは本発明人がこれまでに開発した台湾特許第093212058号、第093212059号及び第093207276号(証書番号：M262462)である。
しかし、本発明者はこれら製品に対して研究を続け、前構造の部品をシンプルにすることで、製造コストと単価を引き下げられることに気づき、更に開発をすすめた結果、ついに画期的な改良を成し遂げ本発明を完成させるに至った。
【特許文献１】特表２００５−５３８９００号公報
【発明の開示】
【発明が解決しようとする課題】
【０００３】
本発明が解決しようとする課題は、容器出口の蓋体構造を提供し、これにより蓋体内にはあらゆる顆粒固体物質或いは液体物質を充填可能で、容器内の液体飲料と迅速に混合可能な効果を達成し、本発明は部品をシンプルにしたことで、コストパフォーマンスの向上を実現させながら、廃棄物減少により環境保護効果を発揮することもできる。
【課題を解決するための手段】
【０００４】
上記課題を解決するため、本発明は下記の容器出口の蓋体構造を提供する。
それは本体及び仕切板からなり、
該本体の頂部面は封鎖端を呈し、しかもその底部面は開口端を呈し、該頂部面及び設底部面の間は該片側端面により取り囲み一体に連接し、該本体内部の頂部面に近い一端には中空室を形成し、底部面に近い一端には中空の蓋挿通孔を形成し、
該仕切板は該本体内部の中空室と該蓋挿通孔の間に設置し、該頂部面は該中空室に向かい、該底部面は該蓋挿通孔に向かい、該本体の中空室に顆粒固体物質或いは液体物質が充填された後、該仕切板の嵌入により、該顆粒固体物質或いは液体物質の漏出を阻止することができ、
さらに該本体底部面の蓋挿通孔と容器出口を嵌合後、使用者は迅速に２種以上の物質を容器内において混合することができる。
【発明の効果】
【０００５】
上記のように、本発明は飲料容器出口に嵌合可能な蓋体構造で、これにより飲用者は二種の異なる液体飲料を迅速に直接混合し飲用可能である。
【発明を実施するための最良の形態】
【０００６】
図１、２、３に示すように、本発明の第一実施例は本体10を含み、該本体10は頂部面11、底部面12及び片側端面13を具える。
該頂部面11は封鎖面を呈し、該底部面12は開口状を呈する。しかも該頂部面11及び該底部面12の間において該片側端面13により取り囲み一体に連接し、これにより該本体10内部の該頂部面11に近い一端には中空室14を形成する。該底部面12に近い一端には中空の蓋挿通孔15を形成し、しかも該中空室14と該蓋挿通孔15は相互に貫通し、該中空室14はあらゆる顆粒或いは粉状の固体物質或いはあらゆる液体物質を収容可能で、該蓋挿通孔15の口径は該容器30の出口端31外径よりわずかに大きい。両者の嵌合時には緊密な対応を呈し、該中空室14と該蓋挿通孔15の相互に接する位置には係合停止フランジ部16を嵌合する。
仕切板20は、該本体10内部の中空室14と蓋挿通孔15の間に装置し、その頂部面21は該中空室14に向かい、底部面22は該蓋挿通孔15に向かう。その側端面23上には嵌合凹溝24を陥没設置し、該本体10内部の係合停止フランジ部16と相互に嵌合し、こうして一時的に該中空室14内に予め充填する物質が外へと漏出しないよう貯留する。
【０００７】
図２、３、４に示すように、先ず異なる味の第二液体飲料Rを該本体10内部の中空室14内に充填し、次に該仕切板20側端面23上の嵌合凹溝24と本体10内部の係合停止フランジ部16が相互に嵌合定位するまで、該仕切板20を該本体10底部面12の蓋挿通孔15から差し込み、該中空室14内の第二液体飲料Rの外への流出を防ぐ。
続いて、該本体10底部面12の蓋挿通孔15を該容器30の出口端31に合わせ両者を相互に嵌合させ、該容器30の出口端31と該仕切板20底部面22を相互に接触させる。こうして該容器30と該本体10内にはそれぞれ二種の異なる成分或いは味の第一液体飲料G及び第二液体飲料Rを収容可能となり、その間に介在する仕切板20により隔離し、相互に混合することはない(図３参照)。
【０００８】
飲用者が第一液体飲料Gと第二液体飲料Rを混合し同時に飲用することを選択した時には、該本体10頂部面11を該容器30方向へと下に向けて施力するだけで、該容器30出口端31により仕切り板を上方へと押上げる作用力により、該仕切板20側端面23上の嵌合凹溝24は該本体10内部上の係合停止フランジ16の相互嵌合状態を離脱し、該仕切板20は該中空室14に向かい上方へと移動作動する。これと同時に、該中空室14内の第二液体飲料Ｒも下方へ向かい該容器30中に流入し、第一液体飲料Ｇと相互に混合する効果を達成する(図４参照)。
【０００９】
図５、６、７に示すように、本発明第二実施例の本体10a底部面12の蓋挿通孔15の内縁面上はマイナスネジヤマ151を呈し、プラスネジヤマ32を具える出口端31の容器30aと相互に螺接結合する(図５参照)。該本体10aの側端面13において回転施力することにより、比較的省力の方式により該仕切板20を合わせて下方へと移動させ、さらに容器30a出口端31の上方へと押上げる作用力を受け、該仕切板20は該本体10a内部の係合停止フランジ16の嵌合を離脱し(図７参照)、こうして第二液体飲料Ｒと第一液体飲料Ｇの相互混合効果を達成する。
【００１０】
図８、９、１０に示すように、本発明第三実施例の仕切板20aの外径は本体10b内部の中空室14bの内径よりわずかに小さく、しかもその側端面23aと該本体10b内部の中空室14bの間は数個の橋渡しブロック25により連結固定する(図９参照)。これにより該中空室14b内には顆粒状の固体食用品Sを充填することができる(図８参照)。該固体食用品Sと第一液体飲料Gを混合する時には、同様に該本体10bを回し、該仕切板20a側端面23a上の橋渡しブロック25を断裂させ、こうして該中空室14b内の顆粒状固体食用品Sは該容器30中に落ち、第一液体飲料Gと相互に混合する効果を達成する。
図１１に示すように、本発明中本体10cの別種の外観設計形態に対応するため、その側端面13cは多辺形を呈し、手指の握持及び施力上の利便性を向上させることができる。
【００１１】
図１２、１３に示すように、本発明第四実施例では、該本体10底部面12下方にさらに断裂部41を具えるセーフティーリング40を接続する。これにより該本体10が使用前に予想外の外力の施圧を受け、該仕切板20が移動し、該中空室14内の第二液体飲料Rが外部に漏れ出すことを防止することができる。
混合し飲用する時には、図１４、１５、１６に示すように、先に該本体10下端に位置するセーフティーリング40を引き、その断裂部41を破壊し、該セーフティーリング40を取り除かなければならない。その後(図１４参照)、さらに該本体10上において力を入れて回す(図１５参照)と、同様に該仕切板20は該中空室14に向かい上方へと移動作動し、第二液体飲料Ｒは下に向かい該容器30中に流入し、第一液体飲料Ｇと相互に混合する効果(図１６参照)を達成する。
【図面の簡単な説明】
【００１２】
【図１】本発明第一実施例の立体分解図である。
【図２】本発明第一実施例の立体組合せ図である。
【図３】本発明第一実施例の作動断面図の一である。
【図４】本発明第一実施例の作動断面図の二である。
【図５】本発明第二実施例の立体組合せ図である。
【図６】本発明第二実施例の作動断面図の一である。
【図７】本発明第二実施例の作動断面図の二である。
【図８】本発明第三実施例の平面組合せ断面図である。
【図９】図８中A-A位置における断面図である。
【図１０】本発明第三実施例の作動断面図である。
【図１１】本発明本体の別種の実施例の立体指示図である。
【図１２】本発明第四実施例の立体図の一である。
【図１３】本発明第四実施例の立体図の二である。
【図１４】本発明第四実施例の作動断面図の一である。
【図１５】本発明第四実施例の作動断面図の二である。
【図１６】本発明第四実施例の作動断面図の三である。
【符号の説明】
【００１３】
10、10a、10b、10c  本体
11、12  頂部面
12、22  底部面
13、23、23a  側端面
14、14b  中空室
15  蓋挿通孔
16  係合停止フランジ
20  仕切板
24  嵌合凹溝
25  橋渡しブロック
30、30a  容器
31  出口端
32  プラスネジヤマ
40  セーフティーリング
41  断裂部
151  マイナスネジヤマ
G  第一液体飲料
R  第二液体飲料
S  固体食用品
【図１】
2008529919.tif 000003
【図２】
2008529919.tif 000004
【図３】
2008529919.tif 000005
【図４】
2008529919.tif 000006
【図５】
2008529919.tif 000007
【図６】
2008529919.tif 000008
【図７】
2008529919.tif 000009
【図８】
2008529919.tif 000010
【図９】
2008529919.tif 000011
【図１０】
2008529919.tif 000012
【図１１】
2008529919.tif 000013
【図１２】
2008529919.tif 000014
【図１３】
2008529919.tif 000015
【図１４】
2008529919.tif 000016
【図１５】
2008529919.tif 000017
【図１６】
2008529919.tif 000018
【国際調査報告】
2008529919.tif 000019